(57)【要約】      （修正有）【課題】取付け作業の容易な忍返しおよび該忍返しをとりつけたコンクリート塀を提供する。【解決手段】棒材からなる基部の上部に剣先部を形成し、該基部の下部を折曲して支持部を形成した忍返し構成部材を所定間隔をもって所要数配設し、上記支持部の上部には止具のネジ部が挿通される間隔をもって一対の連結支持棒が連結されていることを特徴とする忍返し。【選択図】図１
0003128106.tif 000002
【実用新案登録請求の範囲】
【請求項１】
棒材からなる基部の上部に剣先部を形成し、該基部の下部を折曲して支持部を形成した忍返し構成部材を所定間隔をもって所要数配設し、上記支持部の上部には止具のネジ部が挿通される間隔をもって一対の連結支持棒が連結されていることを特徴とする忍返し。
【請求項２】
忍返し構成部材は基部の所定高さ位置で連結棒で連結されていることを特徴とする請求項１記載の忍返し。
【請求項３】
コンクリート塀の上面に請求項１又は請求項２記載の忍返しの支持部を直に又は座板を介して載置し、止具のネジ部を一対の連結支持棒の間に挿通して忍返しをコンクリート塀にとりつけたことを特徴とするコンクリート塀。
【請求項４】
止具はアンカーボルトであることを特徴とする請求項３記載のコンクリート塀。
【考案の詳細な説明】
【技術分野】
【０００１】本考案はことにコンクリート塀（ブロック塀含む）に適した忍返しおよび該忍返しをとりつけた防犯に好適なコンクリート塀を提供する。
【背景技術】
【０００２】従来公知の防犯用コンクリート塀は、該塀の長手方向上面に沿って、先端に剣先部を有する棒状の忍返しを起立状態で、所要間隔で配設し、該棒の根底部を個々に塀の上面の穴に直に埋め込んで、その周囲をセメントで固定しているか、棒の根底部に取付金具を固定し、該金具を塀上面に止具で固定する構造である。
【考案の開示】
【考案が解決しようとする課題】
【０００３】ところが上記従来の忍返しは、各棒の根底部を直にコンクリート塀に埋め込んでいるので、その埋込み作業は埋め込み穴を個々に設け、その穴に棒の根底部を埋め込んで、さらにセメントを穴の隙間に流し込んで棒の高さ方向と幅方向のレベル調整をしながら固定する構造であり、大変時間のかかる煩わしい作業であった。また棒の根底部に取付金具を固定して該金具を塀上面に止具で固定する構造においても、その棒が自立しないので、同様の煩わしい作業であった。
本考案は上記の問題点を解消している。
【課題を解決するための手段】
【０００４】本考案はつぎの特徴を備えている。
その一つは「棒材からなる基部の上部に剣先部を形成し、該基部の下部を折曲して支持部を形成した忍返し構成部材を所定間隔をもって所要数配設し、上記支持部の上部には止具のネジ部が挿通される間隔をもって一対の連結支持棒が連結されていることを特徴とする忍返し」である。【０００５】その二つは「上記構成の忍返しにおいて、忍返し構成部材は基部の所定高さ位置で連結棒で連結されていることを特徴とする忍返し」である。【０００６】その三つは「コンクリート塀の上面に上記構成の忍返しの支持部を直に又は座板を介して載置し、止具のネジ部を一対の連結支持棒の間に挿通して忍返しをコンクリート塀にとりつけたことを特徴とするコンクリート塀」である。【０００７】その四つは「上記構成において、止具はアンカーボルトであることを特徴とするコンクリート塀」である。
【考案の効果】
【０００８】本考案の忍返しは棒材からなる基部の上部に剣先部を形成し、該基部の下部を折曲して支持部を形成した忍返し構成部材を所定間隔をもって所要数配設し、該支持部の上部に止具のネジ部が挿通される間隔をもって一対の連結支持棒が連結されて構成されており、コンクリート塀にとりつけるに際しては、該塀の上面に支持部を直に、または座板を介して載置できるので、止具での固定作業は１人の作業者で行うことができる。【０００９】忍返しが自立できるので、コンクリート塀の長手方向に沿って多数個配設するレイアウト作業、レベル調整作業が極めて容易である。【００１０】忍返しのコンクリート塀へのとりつけ固定は、一対の連結支持棒の間に止具のネジ部を挿通して該塀に直に又は塀上面に埋設しているアンカーボルトに螺着すればよく、とりつけ作業が容易である。【００１１】一対の連結支持棒が長手方向において形成しているので、止具の取付箇所が長手方向に存在し、適宜取付け位置が設定できる。
【考案を実施するための最良の形態】
【００１２】本考案の実施形態を図面を用いて以下に説明する。
図１は本考案の忍返しの一実施例を示す斜視図である。コンクリート塀の上面に載置している状態を示す。
１は本考案の忍返しで、棒材を溶接（スポット溶接）して組格している。２は忍返し構成部材で、棒材からなる基部２ａの上部に剣先部２ｂを形成し、該基部の下部を略Ｌ型に折曲して支持部２ｃを形成している。【００１３】上記忍返し構成部材２を所定間隔（たとえば５〜１０センチメートル）をもって所要数（たとえば１０〜２０本）配設し、支持部２ｃの上部には止具のネジ部が挿通される間隔をもって一対の連結支持棒３、３が溶接（スポッと溶接）により連結されている。支持棒３の両端は後述の連結棒のように基部間隔の略２分の１弱程度伸長してもよい。【００１４】４は各忍返し構成部材２を所定高さ位置で連結している連結棒で、両端を基部の両端より基部間隔の略２分の１弱程度伸長しているが、伸長しなくてもよい。【００１５】上記構成の忍返しをコンクリート塀（ブロック塀含む）上面に長手方向に沿って連設する。
５はコンクリート塀で、その上面５ａに忍返しの支持部２ｃを載置して止具で固定する前に一時的に自立させている。【００１６】図２は本考案忍返しの側面図を示す。忍返し構成部材２は基部２ａの上部に一体の剣先部２ｂを圧接して拡開状に形成している。支持部２ｃの上部に一対の連結支持棒３、３が止具のネジ部の挿通間隔をもってスポット溶接固定されている。【００１７】図３は図１に示す忍返しを止具を介してコンクリート塀にとりつけた状態を示す説明図である。
５はコンクリート塀、５ｂは該塀の上面５ａに穿設した止具（アンカーボルト等）の埋設する穴、該穴に止具（アンカーボルト）６のスリーブ６ａを固着している。次いで忍返しの支持部を載置して一対の連結支持棒を上記アンカーボルトのスリーブの箇所に合致せしめて、ボルト頭部の雄ネジをスリーブの雌ネジに螺着して忍返しを固定している。
７はワッシャーである。８は座板で、必要に応じて、たとえば塀の上面が損傷しておりレベルをだすために、あるいは安定支持のために、コンクリート塀の上面と忍返しの支持部の間に介在せしめることもできる。この座板は長手方向全長でもよく、止具をとりつける箇所だけでもよい。【００１８】図４は図３とは形状、構造を異にした別のアンカーボルトである。コンクリート塀の穴に埋設されるアンカーボルトのスリーブ６ａは雄ネジが形成されており、該雄ネジを忍返しの一対の支持棒の間隙に嵌入してナット６ｃで螺着して忍返しを固定している。【００１９】止具は上記構成のアンカーボルトに限らず、たとえばボルト頭部を有するコンクリートネジ釘を直に一対の支持棒の間に挿通して、該支持棒をボルト頭部とコンクリート塀の上面間で挟着して固定することもできる。
以上本考案の実施例について説明したが、技術思想を逸脱しない限りの設計変更は可能である。
【図面の簡単な説明】
【００２０】
【図１】本考案忍返しの一実施例を示す斜視図。コンクリート塀の上面に載置している状態を示す。
【図２】図１に示す忍返しの側面図。
【図３】図１に示す忍返しを止具を介してコンクリート塀にとりつけた状態の説明図。
【図４】同じく図１に示す忍返しを別の止具を介してコンクリート塀にとりつけた状態の説明図である。
【符号の説明】
【００２１】１    忍返し
２    忍返し構成部材
２ａ  基部
２ｂ  剣先部
２ｃ  支持部
３    連結支持棒
４    連結棒
５    コンクリート塀
５ａ  上面
５ｂ  穴
６    止具（アンカーボルト、コンクリートネジ釘等）
６ａ  スリーブ
６ｂ  ボルト頭部
６ｃ  ナット
７    ワッシャ
８    座板
【図１】
0003128106.tif 000003
【図２】
0003128106.tif 000004
【図３】
0003128106.tif 000005
【図４】
0003128106.tif 000006